【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
金属箔からなる集電体上に分極性電極層を形成した正負一対の電極をその間にセパレータを介在させて巻回し、正負の電極が互いに逆方向に位置するように構成されたコンデンサ素子と、このコンデンサ素子を駆動用電解液と共に収容し、かつ、コンデンサ素子の互いに逆方向に位置する電極の一方を内底面に接合した有底筒状の金属ケースと、上記コンデンサ素子の互いに逆方向に位置する電極の他方を内面に接合して上記金属ケースの開口部を封止した端子板からなり、コンデンサ素子の一方の電極を金属ケースから、同他方の電極を端子板に設けた外部接続用の端子部から取り出すようにしたコンデンサを、互いに極性が異なるように構成した２個を１組として接続板を介して接合したコンデンサユニットと、このコンデンサユニットを複数組、直列または並列に接続したサブユニットと、このサブユニットを複数組、直列または並列に接続したメインユニットと、このメインユニットならびにこのメインユニットを制御する制御部を収納したケースからなり、前記サブユニットを構成する複数組の前記コンデンサユニットを夫々バスバーで接続すると共に、複数組の前記コンデンサユニット全体を絶縁材料製の上ホルダーと下ホルダーで挟持し、かつ、この上ホルダーと下ホルダー間に支柱を配設した構成を有し、前記バスバーには非拘束部を曲げ加工することによる寸法バラツキ吸収用のバッファ部を設けたコンデンサ装置。
【請求項２】
金属箔からなる集電体上に分極性電極層を形成した正負一対の電極をその間にセパレータを介在させて巻回し、正負の電極が互いに逆方向に位置するように構成されたコンデンサ素子と、このコンデンサ素子を駆動用電解液と共に収容し、かつ、コンデンサ素子の互いに逆方向に位置する電極の一方を内底面に接合した有底筒状の金属ケースと、上記コンデンサ素子の互いに逆方向に位置する電極の他方を内面に接合して上記金属ケースの開口部を封止した端子板からなり、コンデンサ素子の一方の電極を金属ケースから、同他方の電極を端子板に設けた外部接続用の端子部から取り出すようにしたコンデンサを、互いに極性が異なるように構成した２個を１組として接続板を介して接合したコンデンサユニットと、このコンデンサユニットを複数組、直列または並列に接続したサブユニットと、このサブユニットを複数組、直列または並列に接続したメインユニットと、このメインユニットならびにこのメインユニットを制御する制御部を収納したケースからなり、前記サブユニットを構成する複数組の前記コンデンサユニットを夫々バスバーで接続すると共に、複数組の前記コンデンサユニット全体を絶縁材料製の上ホルダーと下ホルダーで挟持し、かつ、この上ホルダーと下ホルダー間に支柱を配設した構成を有し、前記上ホルダーまたは前記下ホルダーの少なくとも一方で、前記各コンデンサの周縁に当接する部分に前記各コンデンサの高さバラツキを吸収するためのダンパー部をそれぞれ設けたコンデンサ装置。
【請求項３】
金属箔からなる集電体上に分極性電極層を形成した正負一対の電極をその間にセパレータを介在させて巻回し、正負の電極が互いに逆方向に位置するように構成されたコンデンサ素子と、このコンデンサ素子を駆動用電解液と共に収容し、かつ、コンデンサ素子の互いに逆方向に位置する電極の一方を内底面に接合した有底筒状の金属ケースと、上記コンデンサ素子の互いに逆方向に位置する電極の他方を内面に接合して上記金属ケースの開口部を封止した端子板からなり、コンデンサ素子の一方の電極を金属ケースから、同他方の電極を端子板に設けた外部接続用の端子部から取り出すようにしたコンデンサを、互いに極性が異なるように構成した２個を１組として接続板を介して接合したコンデンサユニットと、このコンデンサユニットを複数組、直列または並列に接続したサブユニットと、このサブユニットを複数組、直列または並列に接続したメインユニットと、このメインユニットならびにこのメインユニットを制御する制御部を収納したケースからなり、前記メインユニットを構成する複数組の前記サブユニットを夫々接続板で接続すると共に、この接続板の非拘束部を曲げ加工することにより寸法バラツキ吸収用のバッファ部を設けたコンデンサ装置。
【請求項４】
金属箔からなる集電体上に分極性電極層を形成した正負一対の電極をその間にセパレータを介在させて巻回し、正負の電極が互いに逆方向に位置するように構成されたコンデンサ素子と、このコンデンサ素子を駆動用電解液と共に収容し、かつ、コンデンサ素子の互いに逆方向に位置する電極の一方を内底面に接合した有底筒状の金属ケースと、上記コンデンサ素子の互いに逆方向に位置する電極の他方を内面に接合して上記金属ケースの開口部を封止した端子板からなり、コンデンサ素子の一方の電極を金属ケースから、同他方の電極を端子板に設けた外部接続用の端子部から取り出すようにしたコンデンサを、互いに極性が異なるように構成した２個を１組として接続板を介して接合したコンデンサユニットと、このコンデンサユニットを複数組、直列または並列に接続したサブユニットと、このサブユニットを複数組、直列または並列に接続したメインユニットと、このメインユニットならびにこのメインユニットを制御する制御部を収納したケースからなり、前記サブユニットを構成する複数の前記コンデンサの充電電圧を一定に調整するバランス充電回路と、充電状態における過電圧を検出する過電圧検出回路と、前記コンデンサ近傍の温度を計測する温度計測回路の少なくとも一つを備えた回路基板を前記サブユニット毎に設けると共に、この各サブユニットに設けた前記回路基板を前記メインユニットを制御する制御部に接続したコンデンサ装置。
【請求項５】
サブユニットを構成する複数組のコンデンサユニット間に夫々隙間を設けた請求項１から４のいずれかに記載のコンデンサ装置。
【請求項６】
メインユニットを構成する複数組のサブユニット間に夫々隙間を設けた請求項１から４のいずれかに記載のコンデンサ装置。
【手続補正２】
【補正対象書類名】明細書
【補正対象項目名】００１２
【補正方法】変更
【補正の内容】
【００１２】
上記課題を解決するために本発明は、金属箔からなる集電体上に分極性電極層を形成した正負一対の電極をその間にセパレータを介在させて巻回し、正負の電極が互いに逆方向に位置するように構成されたコンデンサ素子と、このコンデンサ素子を駆動用電解液と共に収容し、かつ、コンデンサ素子の互いに逆方向に位置する電極の一方を内底面に接合した有底筒状の金属ケースと、上記コンデンサ素子の互いに逆方向に位置する電極の他方を内面に接合して上記金属ケースの開口部を封止した端子板からなり、コンデンサ素子の一方の電極を金属ケースから、同他方の電極を端子板に設けた外部接続用の端子部から取り出すようにしたコンデンサを、互いに極性が異なるように構成した２個を１組として接続板を介して接合したコンデンサユニットと、このコンデンサユニットを複数組、直列または並列に接続したサブユニットと、このサブユニットを複数組、直列または並列に接続したメインユニットと、このメインユニットならびにこのメインユニットを制御する制御部を収納したケースからなり、前記サブユニットを構成する複数組の前記コンデンサユニットを夫々バスバーで接続すると共に、複数組の前記コンデンサユニット全体を絶縁材料製の上ホルダーと下ホルダーで挟持し、かつ、この上ホルダーと下ホルダー間に支柱を配設した構成を有し、前記バスバーには非拘束部を曲げ加工することによる寸法バラツキ吸収用のバッファ部を設けたものである。
【手続補正３】
【補正対象書類名】明細書
【補正対象項目名】００１４
【補正方法】変更
【補正の内容】
【００１４】
（実施の形態１）
以下、実施の形態１を用いて、本発明の特に請求項４に記載の発明について説明する。
【手続補正４】
【補正対象書類名】明細書
【補正対象項目名】００２９
【補正方法】変更
【補正の内容】
【００２９】
（実施の形態２）
以下、実施の形態２を用いて、本発明の特に請求項１、５に記載の発明について説明する。
【手続補正５】
【補正対象書類名】明細書
【補正対象項目名】００３３
【補正方法】変更
【補正の内容】
【００３３】
（実施の形態３）
以下、実施の形態３を用いて、本発明の特に請求項２に記載の発明について説明する。
【手続補正６】
【補正対象書類名】明細書
【補正対象項目名】００４０
【補正方法】変更
【補正の内容】
【００４０】
（実施の形態４）
以下、実施の形態４を用いて、本発明の特に請求項３、６に記載の発明について説明する。